(57)【要約】【課題】より利便性の高い仮設構造物用の設計支援装置を提供すること。【解決手段】仮設構造物用の設計支援装置であって、複数の二次元図面のうち何れか１つの二次元図面の一部または全部を、仮設構造物の平面図として選択する、第１の領域選択手段と、前記平面図に対し、表示線を１箇所以上規定する、表示線規定手段と、前記複数の二次元図面のうち何れか１つの二次元図面の一部または全部を、前記表示線からみた立面図としてそれぞれ選択する、第２の領域選択手段と、前記平面図および立面図に基づいて、仮設構造物の三次元情報を生成する、三次元情報生成手段と、を少なくとも具備したことを特徴とする。【選択図】図１
2018063687.tif 000002
【特許請求の範囲】
【請求項１】
仮設構造物用の設計支援装置であって、
複数の二次元図面のうち何れか１つの二次元図面の一部または全部を、仮設構造物の平面図として選択する、第１の領域選択手段と、
前記平面図に対し、表示線を１箇所以上規定する、表示線規定手段と、
前記複数の二次元図面のうち何れか１つの二次元図面の一部または全部を、前記表示線からみた立面図としてそれぞれ選択する、第２の領域選択手段と、
前記平面図および立面図に基づいて、仮設構造物の三次元情報を生成する、三次元情報生成手段と、
を少なくとも具備したことを特徴とする、
仮設構造物用の設計支援装置。
【請求項２】
前記三次元情報に基づいて、仮設構造物で使用する構成部材の内訳を算出する、内訳算出手段と、を更に具備したことを特徴とする、
請求項１に記載の仮設構造物用の設計支援装置。
【請求項３】
前記三次元情報に基づいて、新たな二次元図面を生成する、新規図面生成手段と、を更に具備したことを特徴とする、
請求項１または２に記載の仮設構造物用の設計支援装置。
【請求項４】
前記平面図を領域分割し、該分割領域毎に組合せ番号を付してなる支柱組合せ図と、前記組合せ番号毎の支柱の一覧表である支柱組合せ一覧表と、を生成する、支柱組合せ表示手段と、
を更に具備したことを特徴とする、請求項１乃至３のうち何れか１項に記載の仮設構造物用の設計支援装置。
【請求項５】
情報処理装置を、請求項１乃至４のうち何れか１つに記載の仮設構造物用の設計支援装置として機能させるためのプログラム。
【発明の詳細な説明】
【技術分野】
【０００１】
本発明は、仮設足場や支保工などの仮設構造物の設計を支援する、仮設構造物用の設計支援装置およびそのプログラムに関する。
【背景技術】
【０００２】
仮設構造物の設計図は、平面図、正面図、側面図および任意の断面図等からなる複数の二次元図面から構成されており、この二次元図面から必要な構成部材のリストを算出している。
【０００３】
この仮設構造物の一種である仮設足場に対し、仮設足場を構成する材料を、プログラムによって自動で拾い出す装置として、以下の特許文献１に記載の発明がある。
特許文献１に記載の発明では、建築物の高さと幅や、仮設足場の単位枠の縦横に必要な数量をパラメータとして、仮設足場を構成する材料を拾い出し、各材料の必要数量や総重量をユーザの携帯端末に送信する、仮設足場設計データ提供装置が開示されている。
【先行技術文献】
【特許文献】
【０００４】
【特許文献１】特開２００４−９２２９６号公報
【発明の概要】
【発明が解決しようとする課題】
【０００５】
しかし、従来の装置では、以下の点のうち少なくとも何れか１つの点で問題があった。
（１）図面の作成に時間がかかる。
仮設構造物を構成する材料を拾い出すためには、三次元的な情報を得られるに相当する図面を事前に用意する必要があるため、必要とする図面枚数が多く、その図面作成の負担が大きい。
（２）構築段階に沿った構成部材の算出作業を必要とする。
仮設構造物は、周囲の躯体の構築に合わせて増設されていくため、仮設構造物の構成部材を、どの時期にどの程度用意して現場に搬入しなければならないかを管理することができると、現場では資材置き場のスペース確保につながり、仮設構造物のリース会社は在庫管理の効率向上が期待できる。
この構成部材の管理を精度よく行うには、最終的な構成部材のリストだけではなく、構築途中の構成部材のリストを複数作成し、算出しておく必要がある。
しかし、増設段階に合わせた複数の構成部材のリストを作成するには、作成者にとって作業負担が大きく、人件費の増大につながる問題があった。
【０００６】
よって、本発明は、上記の課題等を解決することでより利便性の高い仮設構造物用の設計支援装置等を提供することを目的とする。
【課題を解決するための手段】
【０００７】
上記の課題を解決すべくなされた本願の第１発明は、仮設構造物用の設計支援装置であって、複数の二次元図面のうち何れか１つの二次元図面の一部または全部を、仮設構造物の平面図として選択する、第１の領域選択手段と、前記平面図に対し、表示線を１箇所以上規定する、表示線規定手段と、前記複数の二次元図面のうち何れか１つの二次元図面の一部または全部を、前記表示線からみた立面図としてそれぞれ選択する、第２の領域選択手段と、前記平面図および立面図に基づいて、仮設構造物の三次元情報を生成する、三次元情報生成手段と、を少なくとも具備したことを特徴とする。
また、本願の第２発明は、前記第１発明において、前記三次元情報に基づいて、仮設構造物で使用する構成部材の内訳を算出する、内訳算出手段と、を更に具備したことを特徴とする。
また、本願の第３発明は、前記第１または第２発明において、前記三次元情報に基づいて、新たな二次元図面を生成する、新規図面生成手段と、を更に具備したことを特徴とする。
また、本願の第４発明は、前記第１乃至第３発明のうち何れか一つの発明において、前記平面図を領域分割し、該分割領域毎に組合せ番号を付してなる支柱組合せ図と、前記組合せ番号毎の支柱の一覧表である支柱組合せ一覧表と、を生成する、支柱組合せ表示手段と、を更に具備したことを特徴とする。
また、本願の第５発明は、情報処理装置を、前記第１乃至第４発明のうち何れか一つの発明に係る仮設構造物用の設計支援装置として機能させるためのプログラムを提供するものである。
【発明の効果】
【０００８】
本発明によれば、以下に記載する効果のうち、少なくとも何れか１つの効果を奏する。
（１）三次元情報の自動生成を可能とする。
最低限の二次元図面を製作しておけば、該二次元図面に基づいて仮設構造物の三次元情報を自動生成することができる。
よって、わざわざ仮設構造物の設計図を複数作成する必要も無い。
（２）三次元情報を生成する領域を任意に選択することができる。
二次元図面中で任意に選択した領域での、構成部材のリスト化が可能である。よって、最終状態の仮設構造物の設計図を製作しておき、あとは必要に応じて、各二次元図面について仮設構造物の構築途中の状態に相当する領域を選択して必要な構成部材のリスト化を行えば、仮設構造物の構築の途中段階で必要な構成部材を容易に把握することができる。
（３）構成部材の内訳の取得が容易である。
仮設構造物に用いる構成部材の内訳を簡単に取得することができる。
（４）三次元情報の修正・更新が容易である。
三次元情報の生成後は、残りの二次元図面を自動生成して補完していくことができ、図面製作の負担軽減につながる。また、二次元図面を修正することで、三次元情報の更新も可能となる。
（５）作業員の作業効率性を高める資料提供を可能とする。
支柱組合せ図や、支柱組合せ一覧表を、自動生成することにより、作業員が把握しやすい図面を提供することができる。
【図面の簡単な説明】
【０００９】
【図１】本発明に係る仮設構造物用の設計支援装置の構成例を示す概略ブロック図。
【図２】使用例１の情報処理手順を示すフローチャート。
【図３】作成済みの二次元図面を表示した初期状態を示すイメージ図。
【図４】平面図を選択した状態を示すイメージ図。
【図５】平面図上に表示線を規定した状態を示すイメージ図。
【図６】表示線に係る立面図を選択した状態を示すイメージ図。
【図７】新たに表示線および立面図を追加選択した状態を示すイメージ図。
【図８】使用例２の情報処理手順を示すフローチャート。
【図９】新たな二次元図面を自動生成した状態を示すイメージ図。
【図１０】使用例３の情報処理手順を示すフローチャート。
【図１１】支柱組合せ図および支柱組合せ一覧表を示すイメージ図。
【図１２】作成済みの二次元図面の一部を立面図として選択した状態を示すイメージ図。
【発明を実施するための形態】
【００１０】
以下、図面を参照しながら、本発明の実施例について説明する。
【実施例】
【００１１】
＜１＞前提
本実施例に係る発明は、公知の情報処理装置にプログラムをインストールすることにより、情報処理装置を本発明に係る仮設構造物用の設計支援装置として機能させることを前提とするものである。
【００１２】
＜１．１＞情報処理装置
情報処理装置は、ＰＣ、タブレット、スマートフォンなどの端末を想定する。
これらの端末は、ＣＰＵ（演算処理装置）、データの送受信インターフェース、ＨＤＤやＳＳＤなどの記憶装置、ＲＯＭ、ＲＡＭなどのメモリ、キーボード、マウス、タッチパネルなどの入力装置、ディスプレイ、タッチパネルなどの表示装置、などのハードウェア資源を任意に備えている。
【００１３】
＜１．２＞プログラムの態様
本発明に係る仮設構造物用の設計支援装置として機能させるためのプログラムは、市販のＣＡＤソフトに機能追加する形で導入する、プラグイン形式のプログラムであってもよいし、別途ＣＡＤ機能を備えている専用プログラムであってもよい。
【００１４】
＜２＞全体構成（図１）
次に、本発明に係る仮設構造物用の設計支援装置の全体構成について説明する。
図１は、本発明の実施例に係る仮設構造物用の設計支援装置の構成例を示す概略ブロック図である。
本発明に係る仮設構造物用の設計支援装置は、第１の領域選択手段１０、表示線規定手段２０、第２の領域選択手段３０、および三次元情報生成手段４０を少なくとも具備する。
その他、本実施例ではさらに内訳算出手段５０、新規図面生成手段６０および支柱組合せ表示手段７０を具備しているが、本発明において必須の構成ではない。
【００１５】
＜２．１＞各手段の実行態様
本発明に係るプログラムをインストールしたＣＡＤソフトのツールバーには、これらの各手段を実行するためのボタンが配置されている。
ユーザは、ＣＡＤソフト上で開いた二次元図面に対し、各手段を実行するボタンを適宜選択していきながら、仮設構造物の設計支援作業を進めていく。
以下、各手段の詳細について説明する。
【００１６】
＜３＞第１の領域選択手段（図１）
第１の領域選択手段１０は、複数の二次元図面のうち何れか１つの二次元図面の一部または全部を、仮設構造物の平面図として選択する機能を有する。
【００１７】
＜３．１＞領域の選択方法
第１の領域選択手段１０による平面図の選択は、始点と終点を設定し、該二点間の線分を対角線に見立てた矩形枠や、三点以上選択した各頂点を繋ぐ線分からなる多角形枠で、二次元図面を囲む方法などを採用することができる。
【００１８】
＜３．２＞二次元図面の部分選択
第１の領域選択手段１０は、二次元図面に対し一部の領域のみを選択することもできる。
すなわち、仮設構造物が完成した状態を示す二次元図面から、一部の領域を選択することで、構築途中の状態の仮設構造物の平面図を領域設定することができる。
【００１９】
＜４＞表示線規定手段（図１）
表示線規定手段２０は、前記第１の領域選択手段１０で選択した平面図に対し、表示線を１箇所以上規定する機能を有する。
【００２０】
＜４．１＞表示線について
表示線とは、平面図上の中間部分を選択する際には当該表示線における断面図を示すための断面線に相当し、平面図上の側縁部分を選択する際には、各側面図、正面図または背面図を示すための線に相当する要素である。
また、表示線には、矢視方向が把握できるよう、矢視線を設けておくことが好ましい。
【００２１】
＜４．２＞表示線の描画方法
表示線規定手段２０による表示線は、始点と終点を設定する直線式や、その他の中間点を設定しながら複数の直線を組み合わせてなる折曲式を採用することができる。
【００２２】
＜４．３＞矢視線の表示
表示線の矢視方向を設定するにあたり、本発明では、表示線を選択したあと、さらに、表示線で分割される領域のうち何れか一方の領域を入力手段で選択することで、矢視線の向きを設定することができる。
【００２３】
＜４．４＞表示線の設定数
表示線規定手段２０は、前記第１の領域選択手段１０で選択した平面図に対し、複数本の表示線を規定することもできる。
表示線を複数本規定した場合には、後述する第２の領域選択手段３０でも同数の二次元図面を設定することになる。
【００２４】
＜５＞第２の領域選択手段（図１）
第２の領域選択手段３０は、複数の二次元図面のうち何れか１つの二次元図面の一部または全部を、表示線からみた立面図として、それぞれ選択する機能を有する。
【００２５】
＜５．１＞領域の選択方法および二次元図面の部分選択について
第２の領域選択手段３０による、領域の選択方法や部分選択方法は、前記第１の領域選択手段１０と同様の方法を採用することができる。
すなわち、仮設構造物が完成した状態を示す二次元図面から一部の領域を選択することで、構築途中の状態の仮設構造物の立面図を領域設定することができる。
【００２６】
＜５．２＞立面図を複数設定する場合
前記したとおり、表示線規定手段２０で、複数本の表示線を設定した場合には、それぞれの表示線に対応する立面図を、二次元図面から適宜選択していく必要がある。
この場合、立面図の選択方法は、表示線規定手段２０で選択した順番と同じ順番で二次元図面を立面図として選択していく方法や、選択対象の表示線を指定してから、対応する二次元図面を該表示線における立面図として選択する方法など、種々の方法を採用することができる。
【００２７】
＜６＞三次元情報生成手段（図１）
三次元情報生成手段４０は、前記平面図および立面図に基づいて、仮設構造物の三次元情報を生成する機能を有する。
【００２８】
＜６．１＞三次元情報の内容
前記した仮設構造物の三次元情報には、仮設構造物の三次元データに対し、どの箇所にどの構成部材を用いるかについての情報が少なくとも含まれている。
【００２９】
＜６．２＞三次元情報の生成方法
三次元情報の生成にあたり、第１の領域選択手段で選択した平面図からは、水平材および筋交関連の構成部材を把握することができ、第２の領域選択手段で選択した立面図からは、垂直材関連の構成部材を把握することができる。
その他、平面図および立面図から明確に把握することができない領域については、自動的に構成部材の配置を行うことができる。
この自動配置作業は、周囲の構成部材の配置情報に基づき、予め規定してあるルールや、人工知能による推測作業でもって実施することができる。
【００３０】
＜６．３＞三次元情報の生成時期
三次元情報生成手段４０は、前記したとおり、ＣＡＤソフトのツールバーに配置したボタンの選択によって実行する態様であってもよいし、前記した第２の領域選択手段３０によって立面図が適切に設定された段階で、バックグランド上で自動実行する態様であってもよい。
【００３１】
＜７＞内訳算出手段（図１）
内訳算出手段５０は、前記三次元情報に基づいて、使用する仮設構造物の構成部材の内訳情報を算出する機能を有する。
【００３２】
＜７．１＞内訳情報の出力方法
内訳情報は、二次元図面のデータが格納されたＣＡＤファイルとは別に、csvファイルやテキストファイル等のデータとして、情報処理装置上に保存するように構成することができる。
【００３３】
＜７．２＞内訳情報の生成時期
内訳算出手段５０は、前記したとおり、ＣＡＤソフト上のツールバーに配置したボタンの選択によって実行する態様であってもよいし、前記した三次元情報生成手段４０による三次元情報の生成に併せて自動実行する態様であってもよい。
【００３４】
＜８＞新規図面生成手段（図１）
新規図面生成手段６０は、前記三次元情報に基づいて、新規の二次元図面を生成する機能を有する。
【００３５】
＜８．１＞新規二次元図面の生成態様
前記した三次元情報生成手段４０によって三次元情報が生成されると、仮設構造物の構成部材が三次元的に把握できており、あらゆる切断線に基づく断面図を生成できる状態である。
よって、新規図面生成手段６０は、奥行き方向（正面から背面側）、横方向（左側面側から右側面側）、または上下方向（平面から底面側）に順次切断した立面図または断面図を、新規の二次元図面として生成することができる。
【００３６】
＜８．２＞三次元情報の更新
新規図面生成手段４０により、新たに生成した二次元図面は、前記した表示線規定手段２０および第２の領域選択手段３０で用いる新たな立面図として追加選択することができる。
例えば、三次元情報生成手段４０による三次元情報に一部誤りを発見した場合には、誤りのある二次元図面をユーザで修正してから新たな立面図として設定すれば、誤りが修正された態様に更新された三次元情報を得ることができる。
【００３７】
＜９＞支柱組合せ表示手段（図１）
支柱組合せ表示手段７０は、支柱組合せ図および支柱組合せ一覧表を生成する機能を有する。
【００３８】
＜９．１＞支柱組合せ図
支柱組合せ図とは、平面図とは別に新規に生成され、平面図を領域分割し、該分割領域毎に組合せ番号を付してなる図面である。
【００３９】
＜９．２＞支柱組合せ一覧表
支柱組合せ一覧表とは、前記支柱組合せ図に付してある組合せ番号毎の支柱（垂直材）の一覧表を示したものであり、新規に生成される表である。
【００４０】
＜９．３＞支柱組合せ一覧表の表示箇所
支柱組合せ図および支柱組合せ一覧表は、各二次元図面と組み合わせるようにＣＡＤソフトの画面上に表示することで、一覧性の高い設計図を作成することができる。
【００４１】
＜１０＞使用例１（三次元情報および内訳情報の生成）（図２〜図７）
まず、本発明に係る設計支援装置の使用例として、既存の二次元図面から、仮設構造物の一種である仮設足場の構成部材の三次元情報を生成するまでの手順について説明する。
【００４２】
＜１０．１＞情報処理手順の概略（図２）
各ステップにおける工程は以下の通りである。
（Ｓ１１０）複数の二次元図面のうち何れか１つの二次元図面の一部または全部を、仮設足場の平面図として選択する。
（Ｓ１２０）平面図に対し、表示線を１箇所以上規定する。
（Ｓ１３０）複数の二次元図面のうち何れか１つの二次元図面の一部または全部を、表示線からみた立面図として、それぞれ選択する。
（Ｓ１４０）平面図および立面図に基づいて、仮設足場の三次元情報を生成する。
以下、各ステップの詳細について説明する。
【００４３】
＜１０．２＞初期状態（図３）
本実施例では、ＣＡＤソフト上で仮設足場の二次元図面Ａが三図（Ａ１〜Ａ３）作成された状態である。
この二次元図面Ａは、既にデータベース化されている仮設足場の構成部材のライブラリを組み合わせて配置することで作成されており、各線分や連結要素には、仮設足場の構成部材の情報が既に埋め込まれている状態である。
【００４４】
＜１０．３＞平面図の選択（図４）（Ｓ１１０）
次に、第１の領域選択手段１０を実行して、作成済みの二次元図面Ａ１〜Ａ３の中から一図を、仮設足場の平面図として選択する。
図４では、ユーザが入力手段を用いて描画した平面選択枠Ｂで囲まれた二次元図面Ａ１を、平面図としている。
【００４５】
＜１０．４＞表示線の設定（図５）（Ｓ１２０）
次に、表示線規定手段２０を実行して、平面図として選択した二次元図面Ａ１内に、表示線Ｃを規定する。
図５では、平面図において、上から二段目を横断してなる直線であり、矢視方向を上方向とした表示線Ｃ１を規定している。
【００４６】
＜１０．５＞立面図の設定（図６）（Ｓ１３０）
次に、第２の領域選択手段３０を実行して、平面図に規定した前記表示線Ｃ１に対応する立面図を、その余の二次元図面Ａ２，Ａ３から設定する。
図６では、ユーザが入力手段を用いて描画した立面選択枠Ｄ１で囲まれた二次元図面Ａ２を、表示線に対応する立面図（ａ−ａ断面図）として選択している。
【００４７】
＜１０．６＞その他の表示線および立面図の設定（図７）（Ｓ１３０）
前記＜１０．４＞＜１０．５＞と同様、その他の表示線と該表示線に対応する立面図を適宜設定する。
図７では、平面図において、右縁に沿うように配した直線であって矢視方向を左方向とした、表示線Ｃ２を規定するとともに、ユーザが入力手段を用いて描画した立面選択枠Ｄ２で囲まれた二次元図面Ａ３を、前記表示線Ｃ２に対応する立面図（ｂ−ｂ矢視図）として選択している。
【００４８】
＜１０．７＞三次元情報の設定（図示無し）（Ｓ１４０）
次に、三次元情報生成手段４０により、選択された平面図および立面図から、仮設足場の三次元情報を生成する。
三次元情報には、ジャッキベース、水平材、垂直材、ジョイント、大引材などの各部材の種類や本数、配置情報などが含まれる。
また、三次元情報の生成にあたり、平面図および立面図から明確に把握することができない領域については、予め定めたルールや人工知能等によって自動的に構成部材の配置を行っている。
本実施例では、三次元情報の生成は、生成に必要な平面図および立面図が選択された段階で、自動的に実施される態様としている。
【００４９】
＜１０．８＞内訳情報の生成（図示無し）
情報処理装置内で三次元情報が生成された後は、適宜仮設足場の構成部材の内訳情報を任意に生成・出力することができる。
本実施例では、三次元情報の生成と並行して、第１の領域選択手段１０および第２の領域選択手段２０で選択されている箇所からなる領域の仮設足場の構成部材の内訳情報をcsvファイルとして、情報処理装置上に自動保存される態様としている。
【００５０】
＜１０．９＞作用効果
以上の通り、本使用例によれば、ＣＡＤソフト上の二次元図面から、仮設足場の三次元情報を自動生成し、使用する構成部材の内訳を簡単に取得することができる。
【００５１】
＜１１＞使用例２（三次元情報の更新）（図８，図９）
次に、生成した三次元情報を修正する手順について説明する。
＜１１．１＞情報処理手順の概略（図８）
図２に、使用手順の概略フローチャートを示す。
各ステップにおける工程は以下の通りである。
（Ｓ２１０）三次元情報に基づいて、新規の二次元図面を生成する
（Ｓ２２０）新規の二次元図面を必要に応じて修正する。
以下、各ステップの詳細について説明する。
＜１１．２＞新規の二次元図面の生成（図９）
三次元情報の生成以降は、当該三次元情報に基づき、あらゆる断面図を生成できる状態となる。
本実施例では、新規図面生成手段６０を実行すると、平面図において、下から上に向かって横断した仮想の表示線（図示せず）からなる立面図である二次元図面（新たな二次元図面Ｅ１〜Ｅ６）を自動で生成・描画している。
このように新規図面生成手段によって新たに生成された断面図は、第２の領域選択手段で選択される新たな立面図として使用することができる。
なお、本実施例では、新規図面生成手段６０が新たな二次元図面Ｅ１〜Ｅ６を自動生成しているが、第２の領域選択手段３０で設定済みの立面図と同一構図の図面（図９における二次元図面Ａ２に相当する新たな二次元図面Ｅ４）は自動生成しないように構成してもよい。
＜１１．３＞新規二次元情報の修正・三次元情報の更新（図示せず）
新たに生成された二次元図面Ｅ１〜Ｅ６を参照して一部誤りを発見した場合には、誤りのある二次元図面を適宜ユーザが修正した上で、表示線規定手段２０および第２の領域選択手段３０を用いて、新たな立面図として設定してから三次元情報生成手段４０を再実行すれば、誤りが修正された態様に更新された三次元情報を得ることができる。
【００５２】
＜１１．４＞作用効果
以上の通り、本使用例によれば、三次元情報から新たな二次元図面を自動生成することで、新たな二次元図面の修正による、三次元情報の更新も簡単に実施することができる。
【００５３】
＜１２＞使用例３（支柱組合せ一覧表の生成）（図１０，図１１）
次に、生成した三次元情報から、支柱組合せ一覧表を生成する手順について説明する。
【００５４】
＜１２．１＞情報処理手順の概略（図１０）
各ステップにおける工程は以下の通りである。
（Ｓ３１０）平面図を領域分割し、該分割領域毎に組合せ番号を付してなる、支柱組合せ図を生成する。
（Ｓ３２０）組合せ番号毎の支柱の一覧表である、支柱組合せ一覧表を生成する。
以下、各ステップの詳細について説明する。
【００５５】
＜１２．２＞支柱組合せ図の生成（図１１（ａ））（Ｓ３１０）
支柱組合せ表示手段７０を実行すると、まず平面図として選択した二次元図面Ａ１をコピーして、支柱組合せ図７１を作成する。
支柱組合せ図は、図１１（ａ）に示すように、コピーした平面図を支柱毎に領域分割するように区分けして、各分割領域７１１に組合せ番号を付したものである。
組合せ番号７１２が同じ領域は、垂直方向において構成部材の組合せが同じであることを示している。
【００５６】
＜１２．３＞支柱組合せ一覧表の生成（図１１（ｂ））（Ｓ３２０）
次に、支柱組合せ一覧表７２を作成する。
支柱組合せ一覧表７２とは、図１１（ｂ）に示す様に、支柱組合せ図７１に付してある組合せ番号７１２毎に、構成部材の内訳を記した一覧表である。
この支柱組合せ図７１と、支柱組合せ一覧表７２を参照することにより、作業員は、平面視してどの場所およびどの段数に如何なる構成部材を用いるのを視覚的に把握することができる。
【００５７】
＜１２．４＞作用効果
以上の通り、本使用例によれば、支柱組合せ図や支柱組合せ一覧表を自動生成することにより、作業員が把握しやすい図面を提供することができ、仮設足場の作業効率性の向上に寄与する。
【００５８】
＜１３＞使用例４（構築途中における必要な構成部材の把握方法）（図１２）
前記したとおり、仮設足場は周囲の躯体の構築に合わせて増設されていくため、仮設足場の構成部材を、どの時期にどの程度用意して現場に搬入しなければならないかを把握できると好ましい。
本発明に係る設計支援装置では、完成状態の仮設足場の二次元図面から、第２の領域選択手段３０による立面図の選択を部分的に行って三次元情報を生成することができる。
【００５９】
＜１３．１＞算出対象の決定方法
図１２では、ａ−ａ断面図（二次元図面Ａ２）やｂ−ｂ断面図（二次元図面Ａ３）において、立面選択枠Ｄ１，Ｄ２を部分的に選択している。
なお、二次元図面を部分的に選択した場合、構成部材の一部分のみが立面選択枠Ｄに含まれるため、当該構成部材を、三次元情報や内訳情報の算出対象とするか否かの判断を行う必要が生じる。
この際には、構成部材の中心点が、立面選択枠Ｄ内に位置する場合に算出対象に含めるように構成するなど、適宜の方法を採用することができる。
【００６０】
＜１３．２＞作用効果
以上の通り、本使用例によれば、第１の領域選択手段１０や第２の領域選択手段３０で選択する領域を変えることにより、最終形の仮設足場を示す平面図および立面図から、仮設足場の最終段階や構築途中段階において必要とする仮設足場の三次元情報や、構成部材の内訳情報および各構成部材の組合せの一覧表を、簡易に生成することができる。
【符号の説明】
【００６１】
１０    第１の領域選択手段
２０    表示線規定手段
３０    第２の領域選択手段
４０    三次元情報生成手段
５０    内訳算出手段
６０    新規図面生成手段
７０    支柱組合せ表示手段
７１    支柱組合せ図
７１１  分割領域
７１２  組合せ番号
７２    支柱組合せ一覧表
Ａ      二次元図面
Ｂ      平面選択枠
Ｃ      表示線
Ｄ      立面選択枠
Ｅ      新たな二次元図面
【図１】
2018063687.tif 000003
【図２】
2018063687.tif 000004
【図３】
2018063687.tif 000005
【図４】
2018063687.tif 000006
【図５】
2018063687.tif 000007
【図６】
2018063687.tif 000008
【図７】
2018063687.tif 000009
【図８】
2018063687.tif 000010
【図９】
2018063687.tif 000011
【図１０】
2018063687.tif 000012
【図１１】
2018063687.tif 000013
【図１２】
2018063687.tif 000014
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
仮設構造物用の設計支援装置であって、
複数の二次元図面のうち何れか１つの二次元図面から任意に選択した領域を、仮設構造物の平面図として選択する、第１の領域選択手段と、
前記平面図に対し、表示線を１箇所以上規定する、表示線規定手段と、
前記複数の二次元図面のうち何れか１つの二次元図面から任意に選択した領域を、前記表示線からみた立面図としてそれぞれ選択する、第２の領域選択手段と、
前記平面図および立面図に基づいて、仮設構造物の三次元情報を生成する、三次元情報生成手段と、
前記三次元情報に基づいて、仮設構造物で使用する構成部材の内訳を算出する、内訳算出手段と、
を少なくとも具備したことを特徴とする、
仮設構造物用の設計支援装置。
【請求項２】
前記三次元情報に基づいて、新たな二次元図面を生成する、新規図面生成手段と、を更に具備したことを特徴とする、
請求項１に記載の仮設構造物用の設計支援装置。
【請求項３】
前記平面図を領域分割し、該分割領域毎に組合せ番号を付してなる組合せ図と、前記組合せ番号毎の構成部材の一覧表である組合せ一覧表と、を生成する、組合せ表示手段と、
を更に具備したことを特徴とする、請求項１または２のうち何れか１項に記載の仮設構造物用の設計支援装置。
【請求項４】
情報処理装置を、請求項１乃至３のうち何れか１つに記載の仮設構造物用の設計支援装置として機能させるためのプログラム。
【手続補正２】
【補正対象書類名】明細書
【補正対象項目名】全文
【補正方法】変更
【補正の内容】
【発明の詳細な説明】
【技術分野】
【０００１】
本発明は、仮設足場や支保工などの仮設構造物の設計を支援する、仮設構造物用の設計支援装置およびそのプログラムに関する。
【背景技術】
【０００２】
仮設構造物の設計図は、平面図、正面図、側面図および任意の断面図等からなる複数の二次元図面から構成されており、この二次元図面から必要な構成部材のリストを算出している。
【０００３】
この仮設構造物の一種である仮設足場に対し、仮設足場を構成する材料を、プログラムによって自動で拾い出す装置として、以下の特許文献１に記載の発明がある。
特許文献１に記載の発明では、建築物の高さと幅や、仮設足場の単位枠の縦横に必要な数量をパラメータとして、仮設足場を構成する材料を拾い出し、各材料の必要数量や総重量をユーザの携帯端末に送信する、仮設足場設計データ提供装置が開示されている。
【先行技術文献】
【特許文献】
【０００４】
【特許文献１】特開２００４−９２２９６号公報
【発明の概要】
【発明が解決しようとする課題】
【０００５】
しかし、従来の装置では、以下の点のうち少なくとも何れか１つの点で問題があった。
（１）図面の作成に時間がかかる。
仮設構造物を構成する材料を拾い出すためには、三次元的な情報を得られるに相当する図面を事前に用意する必要があるため、必要とする図面枚数が多く、その図面作成の負担が大きい。
（２）構築段階に沿った構成部材の算出作業を必要とする。
仮設構造物は、周囲の躯体の構築に合わせて増設されていくため、仮設構造物の構成部材を、どの時期にどの程度用意して現場に搬入しなければならないかを管理することができると、現場では資材置き場のスペース確保につながり、仮設構造物のリース会社は在庫管理の効率向上が期待できる。
この構成部材の管理を精度よく行うには、最終的な構成部材のリストだけではなく、構築途中の構成部材のリストを複数作成し、算出しておく必要がある。
しかし、増設段階に合わせた複数の構成部材のリストを作成するには、作成者にとって作業負担が大きく、人件費の増大につながる問題があった。
【０００６】
よって、本発明は、上記の課題等を解決することでより利便性の高い仮設構造物用の設計支援装置等を提供することを目的とする。
【課題を解決するための手段】
【０００７】
上記の課題を解決すべくなされた本願の第１発明は、仮設構造物用の設計支援装置であって、複数の二次元図面のうち何れか１つの二次元図面から任意に選択した領域を、仮設構造物の平面図として選択する、第１の領域選択手段と、前記平面図に対し、表示線を１箇所以上規定する、表示線規定手段と、前記複数の二次元図面のうち何れか１つの二次元図面から任意に選択した領域を、前記表示線からみた立面図としてそれぞれ選択する、第２の領域選択手段と、前記平面図および立面図に基づいて、仮設構造物の三次元情報を生成する、三次元情報生成手段と、前記三次元情報に基づいて、仮設構造物で使用する構成部材の内訳を算出する、内訳算出手段と、を少なくとも具備したことを特徴とする。
また、本願の第２発明は、前記第１発明において、前記三次元情報に基づいて、新たな二次元図面を生成する、新規図面生成手段と、を更に具備したことを特徴とする。
また、本願の第３発明は、前記第１または第２発明のうち何れか一つの発明において、前記平面図を領域分割し、該分割領域毎に組合せ番号を付してなる組合せ図と、前記組合せ番号毎の構成部材の一覧表である組合せ一覧表と、を生成する、組合せ表示手段と、を更に具備したことを特徴とする。
また、本願の第４発明は、情報処理装置を、前記第１乃至第４発明のうち何れか一つの発明に係る仮設構造物用の設計支援装置として機能させるためのプログラムを提供するものである。
【発明の効果】
【０００８】
本発明によれば、以下に記載する効果のうち、少なくとも何れか１つの効果を奏する。
（１）三次元情報の自動生成を可能とする。
最低限の二次元図面を製作しておけば、該二次元図面に基づいて仮設構造物の三次元情報を自動生成することができる。
よって、わざわざ仮設構造物の設計図を複数作成する必要も無い。
（２）三次元情報を生成する領域を任意に選択することができる。
二次元図面中で任意に選択した領域での、構成部材のリスト化が可能である。よって、最終状態の仮設構造物の設計図を製作しておき、あとは必要に応じて、各二次元図面について仮設構造物の構築途中の状態に相当する領域を選択して必要な構成部材のリスト化を行えば、仮設構造物の構築の途中段階で必要な構成部材を容易に把握することができる。
（３）構成部材の内訳の取得が容易である。
仮設構造物に用いる構成部材の内訳を簡単に取得することができる。
（４）三次元情報の修正・更新が容易である。
三次元情報の生成後は、残りの二次元図面を自動生成して補完していくことができ、図面製作の負担軽減につながる。また、二次元図面を修正することで、三次元情報の更新も可能となる。
（５）作業員の作業効率性を高める資料提供を可能とする。
組合せ図や、組合せ一覧表を、自動生成することにより、作業員が把握しやすい図面を提供することができる。
【図面の簡単な説明】
【０００９】
【図１】本発明に係る仮設構造物用の設計支援装置の構成例を示す概略ブロック図。
【図２】使用例１の情報処理手順を示すフローチャート。
【図３】作成済みの二次元図面を表示した初期状態を示すイメージ図。
【図４】平面図を選択した状態を示すイメージ図。
【図５】平面図上に表示線を規定した状態を示すイメージ図。
【図６】表示線に係る立面図を選択した状態を示すイメージ図。
【図７】新たに表示線および立面図を追加選択した状態を示すイメージ図。
【図８】使用例２の情報処理手順を示すフローチャート。
【図９】新たな二次元図面を自動生成した状態を示すイメージ図。
【図１０】使用例３の情報処理手順を示すフローチャート。
【図１１】組合せ図および組合せ一覧表を示すイメージ図。
【図１２】作成済みの二次元図面の一部を立面図として選択した状態を示すイメージ図。
【発明を実施するための形態】
【００１０】
以下、図面を参照しながら、本発明の実施例について説明する。
【実施例】
【００１１】
＜１＞前提
本実施例に係る発明は、公知の情報処理装置にプログラムをインストールすることにより、情報処理装置を本発明に係る仮設構造物用の設計支援装置として機能させることを前提とするものである。
【００１２】
＜１．１＞情報処理装置
情報処理装置は、ＰＣ、タブレット、スマートフォンなどの端末を想定する。
これらの端末は、ＣＰＵ（演算処理装置）、データの送受信インターフェース、ＨＤＤやＳＳＤなどの記憶装置、ＲＯＭ、ＲＡＭなどのメモリ、キーボード、マウス、タッチパネルなどの入力装置、ディスプレイ、タッチパネルなどの表示装置、などのハードウェア資源を任意に備えている。
【００１３】
＜１．２＞プログラムの態様
本発明に係る仮設構造物用の設計支援装置として機能させるためのプログラムは、市販のＣＡＤソフトに機能追加する形で導入する、プラグイン形式のプログラムであってもよいし、別途ＣＡＤ機能を備えている専用プログラムであってもよい。
【００１４】
＜２＞全体構成（図１）
次に、本発明に係る仮設構造物用の設計支援装置の全体構成について説明する。
図１は、本発明の実施例に係る仮設構造物用の設計支援装置の構成例を示す概略ブロック図である。
本発明に係る仮設構造物用の設計支援装置は、第１の領域選択手段１０、表示線規定手段２０、第２の領域選択手段３０、および三次元情報生成手段４０を少なくとも具備する。
その他、本実施例ではさらに内訳算出手段５０、新規図面生成手段６０および組合せ表示手段７０を具備しているが、本発明において必須の構成ではない。
【００１５】
＜２．１＞各手段の実行態様
本発明に係るプログラムをインストールしたＣＡＤソフトのツールバーには、これらの各手段を実行するためのボタンが配置されている。
ユーザは、ＣＡＤソフト上で開いた二次元図面に対し、各手段を実行するボタンを適宜選択していきながら、仮設構造物の設計支援作業を進めていく。
以下、各手段の詳細について説明する。
【００１６】
＜３＞第１の領域選択手段（図１）
第１の領域選択手段１０は、複数の二次元図面のうち何れか１つの二次元図面の一部または全部を、仮設構造物の平面図として選択する機能を有する。
【００１７】
＜３．１＞領域の選択方法
第１の領域選択手段１０による平面図の選択は、始点と終点を設定し、該二点間の線分を対角線に見立てた矩形枠や、三点以上選択した各頂点を繋ぐ線分からなる多角形枠で、二次元図面を囲む方法などを採用することができる。
【００１８】
＜３．２＞二次元図面の部分選択
第１の領域選択手段１０は、二次元図面に対し一部の領域のみを選択することもできる。
すなわち、仮設構造物が完成した状態を示す二次元図面から、一部の領域を選択することで、構築途中の状態の仮設構造物の平面図を領域設定することができる。
【００１９】
＜４＞表示線規定手段（図１）
表示線規定手段２０は、前記第１の領域選択手段１０で選択した平面図に対し、表示線を１箇所以上規定する機能を有する。
【００２０】
＜４．１＞表示線について
表示線とは、平面図上の中間部分を選択する際には当該表示線における断面図を示すための断面線に相当し、平面図上の側縁部分を選択する際には、各側面図、正面図または背面図を示すための線に相当する要素である。
また、表示線には、矢視方向が把握できるよう、矢視線を設けておくことが好ましい。
【００２１】
＜４．２＞表示線の描画方法
表示線規定手段２０による表示線は、始点と終点を設定する直線式や、その他の中間点を設定しながら複数の直線を組み合わせてなる折曲式を採用することができる。
【００２２】
＜４．３＞矢視線の表示
表示線の矢視方向を設定するにあたり、本発明では、表示線を選択したあと、さらに、表示線で分割される領域のうち何れか一方の領域を入力手段で選択することで、矢視線の向きを設定することができる。
【００２３】
＜４．４＞表示線の設定数
表示線規定手段２０は、前記第１の領域選択手段１０で選択した平面図に対し、複数本の表示線を規定することもできる。
表示線を複数本規定した場合には、後述する第２の領域選択手段３０でも同数の二次元図面を設定することになる。
【００２４】
＜５＞第２の領域選択手段（図１）
第２の領域選択手段３０は、複数の二次元図面のうち何れか１つの二次元図面の一部または全部を、表示線からみた立面図として、それぞれ選択する機能を有する。
【００２５】
＜５．１＞領域の選択方法および二次元図面の部分選択について
第２の領域選択手段３０による、領域の選択方法や部分選択方法は、前記第１の領域選択手段１０と同様の方法を採用することができる。
すなわち、仮設構造物が完成した状態を示す二次元図面から一部の領域を選択することで、構築途中の状態の仮設構造物の立面図を領域設定することができる。
【００２６】
＜５．２＞立面図を複数設定する場合
前記したとおり、表示線規定手段２０で、複数本の表示線を設定した場合には、それぞれの表示線に対応する立面図を、二次元図面から適宜選択していく必要がある。
この場合、立面図の選択方法は、表示線規定手段２０で選択した順番と同じ順番で二次元図面を立面図として選択していく方法や、選択対象の表示線を指定してから、対応する二次元図面を該表示線における立面図として選択する方法など、種々の方法を採用することができる。
【００２７】
＜６＞三次元情報生成手段（図１）
三次元情報生成手段４０は、前記平面図および立面図に基づいて、仮設構造物の三次元情報を生成する機能を有する。
【００２８】
＜６．１＞三次元情報の内容
前記した仮設構造物の三次元情報には、仮設構造物の三次元データに対し、どの箇所にどの構成部材を用いるかについての情報が少なくとも含まれている。
【００２９】
＜６．２＞三次元情報の生成方法
三次元情報の生成にあたり、第１の領域選択手段で選択した平面図からは、水平材および筋交関連の構成部材を把握することができ、第２の領域選択手段で選択した立面図からは、垂直材関連の構成部材を把握することができる。
その他、平面図および立面図から明確に把握することができない領域については、自動的に構成部材の配置を行うことができる。
この自動配置作業は、周囲の構成部材の配置情報に基づき、予め規定してあるルールや、人工知能による推測作業でもって実施することができる。
【００３０】
＜６．３＞三次元情報の生成時期
三次元情報生成手段４０は、前記したとおり、ＣＡＤソフトのツールバーに配置したボタンの選択によって実行する態様であってもよいし、前記した第２の領域選択手段３０によって立面図が適切に設定された段階で、バックグランド上で自動実行する態様であってもよい。
【００３１】
＜７＞内訳算出手段（図１）
内訳算出手段５０は、前記三次元情報に基づいて、使用する仮設構造物の構成部材の内訳情報を算出する機能を有する。
【００３２】
＜７．１＞内訳情報の出力方法
内訳情報は、二次元図面のデータが格納されたＣＡＤファイルとは別に、csvファイルやテキストファイル等のデータとして、情報処理装置上に保存するように構成することができる。
【００３３】
＜７．２＞内訳情報の生成時期
内訳算出手段５０は、前記したとおり、ＣＡＤソフト上のツールバーに配置したボタンの選択によって実行する態様であってもよいし、前記した三次元情報生成手段４０による三次元情報の生成に併せて自動実行する態様であってもよい。
【００３４】
＜８＞新規図面生成手段（図１）
新規図面生成手段６０は、前記三次元情報に基づいて、新規の二次元図面を生成する機能を有する。
【００３５】
＜８．１＞新規二次元図面の生成態様
前記した三次元情報生成手段４０によって三次元情報が生成されると、仮設構造物の構成部材が三次元的に把握できており、あらゆる切断線に基づく断面図を生成できる状態である。
よって、新規図面生成手段６０は、奥行き方向（正面から背面側）、横方向（左側面側から右側面側）、または上下方向（平面から底面側）に順次切断した立面図または断面図を、新規の二次元図面として生成することができる。
【００３６】
＜８．２＞三次元情報の更新
新規図面生成手段４０により、新たに生成した二次元図面は、前記した表示線規定手段２０および第２の領域選択手段３０で用いる新たな立面図として追加選択することができる。
例えば、三次元情報生成手段４０による三次元情報に一部誤りを発見した場合には、誤りのある二次元図面をユーザで修正してから新たな立面図として設定すれば、誤りが修正された態様に更新された三次元情報を得ることができる。
【００３７】
＜９＞組合せ表示手段（図１）
組合せ表示手段７０は、組合せ図および組合せ一覧表を生成する機能を有する。
【００３８】
＜９．１＞組合せ図
組合せ図とは、平面図とは別に新規に生成され、平面図を領域分割し、該分割領域毎に組合せ番号を付してなる図面である。
【００３９】
＜９．２＞組合せ一覧表
組合せ一覧表とは、前記組合せ図に付してある組合せ番号毎の構成部材（支柱（垂直材）など）の一覧表を示したものであり、新規に生成される表である。
【００４０】
＜９．３＞組合せ一覧表の表示箇所
組合せ図および組合せ一覧表は、各二次元図面と組み合わせるようにＣＡＤソフトの画面上に表示することで、一覧性の高い設計図を作成することができる。
【００４１】
＜１０＞使用例１（三次元情報および内訳情報の生成）（図２〜図７）
まず、本発明に係る設計支援装置の使用例として、既存の二次元図面から、仮設構造物の一種である仮設足場の構成部材の三次元情報を生成するまでの手順について説明する。
【００４２】
＜１０．１＞情報処理手順の概略（図２）
各ステップにおける工程は以下の通りである。
（Ｓ１１０）複数の二次元図面のうち何れか１つの二次元図面の一部または全部を、仮設足場の平面図として選択する。
（Ｓ１２０）平面図に対し、表示線を１箇所以上規定する。
（Ｓ１３０）複数の二次元図面のうち何れか１つの二次元図面の一部または全部を、表示線からみた立面図として、それぞれ選択する。
（Ｓ１４０）平面図および立面図に基づいて、仮設足場の三次元情報を生成する。
以下、各ステップの詳細について説明する。
【００４３】
＜１０．２＞初期状態（図３）
本実施例では、ＣＡＤソフト上で仮設足場の二次元図面Ａが三図（Ａ１〜Ａ３）作成された状態である。
この二次元図面Ａは、既にデータベース化されている仮設足場の構成部材のライブラリを組み合わせて配置することで作成されており、各線分や連結要素には、仮設足場の構成部材の情報が既に埋め込まれている状態である。
【００４４】
＜１０．３＞平面図の選択（図４）（Ｓ１１０）
次に、第１の領域選択手段１０を実行して、作成済みの二次元図面Ａ１〜Ａ３の中から一図を、仮設足場の平面図として選択する。
図４では、ユーザが入力手段を用いて描画した平面選択枠Ｂで囲まれた二次元図面Ａ１を、平面図としている。
【００４５】
＜１０．４＞表示線の設定（図５）（Ｓ１２０）
次に、表示線規定手段２０を実行して、平面図として選択した二次元図面Ａ１内に、表示線Ｃを規定する。
図５では、平面図において、上から二段目を横断してなる直線であり、矢視方向を上方向とした表示線Ｃ１を規定している。
【００４６】
＜１０．５＞立面図の設定（図６）（Ｓ１３０）
次に、第２の領域選択手段３０を実行して、平面図に規定した前記表示線Ｃ１に対応する立面図を、その余の二次元図面Ａ２，Ａ３から設定する。
図６では、ユーザが入力手段を用いて描画した立面選択枠Ｄ１で囲まれた二次元図面Ａ２を、表示線に対応する立面図（ａ−ａ断面図）として選択している。
【００４７】
＜１０．６＞その他の表示線および立面図の設定（図７）（Ｓ１３０）
前記＜１０．４＞＜１０．５＞と同様、その他の表示線と該表示線に対応する立面図を適宜設定する。
図７では、平面図において、右縁に沿うように配した直線であって矢視方向を左方向とした、表示線Ｃ２を規定するとともに、ユーザが入力手段を用いて描画した立面選択枠Ｄ２で囲まれた二次元図面Ａ３を、前記表示線Ｃ２に対応する立面図（ｂ−ｂ矢視図）として選択している。
【００４８】
＜１０．７＞三次元情報の設定（図示無し）（Ｓ１４０）
次に、三次元情報生成手段４０により、選択された平面図および立面図から、仮設足場の三次元情報を生成する。
三次元情報には、ジャッキベース、水平材、垂直材、ジョイント、大引材などの各部材の種類や本数、配置情報などが含まれる。
また、三次元情報の生成にあたり、平面図および立面図から明確に把握することができない領域については、予め定めたルールや人工知能等によって自動的に構成部材の配置を行っている。
本実施例では、三次元情報の生成は、生成に必要な平面図および立面図が選択された段階で、自動的に実施される態様としている。
【００４９】
＜１０．８＞内訳情報の生成（図示無し）
情報処理装置内で三次元情報が生成された後は、適宜仮設足場の構成部材の内訳情報を任意に生成・出力することができる。
本実施例では、三次元情報の生成と並行して、第１の領域選択手段１０および第２の領域選択手段２０で選択されている箇所からなる領域の仮設足場の構成部材の内訳情報をcsvファイルとして、情報処理装置上に自動保存される態様としている。
【００５０】
＜１０．９＞作用効果
以上の通り、本使用例によれば、ＣＡＤソフト上の二次元図面から、仮設足場の三次元情報を自動生成し、使用する構成部材の内訳を簡単に取得することができる。
【００５１】
＜１１＞使用例２（三次元情報の更新）（図８，図９）
次に、生成した三次元情報を修正する手順について説明する。
＜１１．１＞情報処理手順の概略（図８）
図２に、使用手順の概略フローチャートを示す。
各ステップにおける工程は以下の通りである。
（Ｓ２１０）三次元情報に基づいて、新規の二次元図面を生成する
（Ｓ２２０）新規の二次元図面を必要に応じて修正する。
以下、各ステップの詳細について説明する。
＜１１．２＞新規の二次元図面の生成（図９）
三次元情報の生成以降は、当該三次元情報に基づき、あらゆる断面図を生成できる状態となる。
本実施例では、新規図面生成手段６０を実行すると、平面図において、下から上に向かって横断した仮想の表示線（図示せず）からなる立面図である二次元図面（新たな二次元図面Ｅ１〜Ｅ６）を自動で生成・描画している。
このように新規図面生成手段によって新たに生成された断面図は、第２の領域選択手段で選択される新たな立面図として使用することができる。
なお、本実施例では、新規図面生成手段６０が新たな二次元図面Ｅ１〜Ｅ６を自動生成しているが、第２の領域選択手段３０で設定済みの立面図と同一構図の図面（図９における二次元図面Ａ２に相当する新たな二次元図面Ｅ４）は自動生成しないように構成してもよい。
＜１１．３＞新規二次元情報の修正・三次元情報の更新（図示せず）
新たに生成された二次元図面Ｅ１〜Ｅ６を参照して一部誤りを発見した場合には、誤りのある二次元図面を適宜ユーザが修正した上で、表示線規定手段２０および第２の領域選択手段３０を用いて、新たな立面図として設定してから三次元情報生成手段４０を再実行すれば、誤りが修正された態様に更新された三次元情報を得ることができる。
【００５２】
＜１１．４＞作用効果
以上の通り、本使用例によれば、三次元情報から新たな二次元図面を自動生成することで、新たな二次元図面の修正による、三次元情報の更新も簡単に実施することができる。
【００５３】
＜１２＞使用例３（組合せ一覧表の生成）（図１０，図１１）
次に、生成した三次元情報から、組合せ一覧表を生成する手順について説明する。
【００５４】
＜１２．１＞情報処理手順の概略（図１０）
各ステップにおける工程は以下の通りである。
（Ｓ３１０）平面図を領域分割し、該分割領域毎に組合せ番号を付してなる、組合せ図を生成する。
（Ｓ３２０）組合せ番号毎の支柱の一覧表である、組合せ一覧表を生成する。
以下、各ステップの詳細について説明する。
【００５５】
＜１２．２＞組合せ図の生成（図１１（ａ））（Ｓ３１０）
組合せ表示手段７０を実行すると、まず平面図として選択した二次元図面Ａ１をコピーして、組合せ図７１を作成する。
組合せ図は、図１１（ａ）に示すように、コピーした平面図を支柱毎に領域分割するように区分けして、各分割領域７１１に組合せ番号を付したものである。
組合せ番号７１２が同じ領域は、垂直方向において構成部材の組合せが同じであることを示している。
【００５６】
＜１２．３＞組合せ一覧表の生成（図１１（ｂ））（Ｓ３２０）
次に、組合せ一覧表７２を作成する。
組合せ一覧表７２とは、図１１（ｂ）に示す様に、組合せ図７１に付してある組合せ番号７１２毎に、構成部材の内訳を記した一覧表である。
この組合せ図７１と、組合せ一覧表７２を参照することにより、作業員は、平面視してどの場所およびどの段数に如何なる構成部材を用いるのを視覚的に把握することができる。
【００５７】
＜１２．４＞作用効果
以上の通り、本使用例によれば、組合せ図や組合せ一覧表を自動生成することにより、作業員が把握しやすい図面を提供することができ、仮設足場の作業効率性の向上に寄与する。
【００５８】
＜１３＞使用例４（構築途中における必要な構成部材の把握方法）（図１２）
前記したとおり、仮設足場は周囲の躯体の構築に合わせて増設されていくため、仮設足場の構成部材を、どの時期にどの程度用意して現場に搬入しなければならないかを把握できると好ましい。
本発明に係る設計支援装置では、完成状態の仮設足場の二次元図面から、第２の領域選択手段３０による立面図の選択を部分的に行って三次元情報を生成することができる。
【００５９】
＜１３．１＞算出対象の決定方法
図１２では、ａ−ａ断面図（二次元図面Ａ２）やｂ−ｂ断面図（二次元図面Ａ３）において、立面選択枠Ｄ１，Ｄ２を部分的に選択している。
なお、二次元図面を部分的に選択した場合、構成部材の一部分のみが立面選択枠Ｄに含まれるため、当該構成部材を、三次元情報や内訳情報の算出対象とするか否かの判断を行う必要が生じる。
この際には、構成部材の中心点が、立面選択枠Ｄ内に位置する場合に算出対象に含めるように構成するなど、適宜の方法を採用することができる。
【００６０】
＜１３．２＞作用効果
以上の通り、本使用例によれば、第１の領域選択手段１０や第２の領域選択手段３０で選択する領域を変えることにより、最終形の仮設足場を示す平面図および立面図から、仮設足場の最終段階や構築途中段階において必要とする仮設足場の三次元情報や、構成部材の内訳情報および各構成部材の組合せの一覧表を、簡易に生成することができる。
【符号の説明】
【００６１】
１０    第１の領域選択手段
２０    表示線規定手段
３０    第２の領域選択手段
４０    三次元情報生成手段
５０    内訳算出手段
６０    新規図面生成手段
７０    組合せ表示手段
７１    組合せ図
７１１  分割領域
７１２  組合せ番号
７２    組合せ一覧表
Ａ      二次元図面
Ｂ      平面選択枠
Ｃ      表示線
Ｄ      立面選択枠
Ｅ      新たな二次元図面
【手続補正３】
【補正対象書類名】図面
【補正対象項目名】図１
【補正方法】変更
【補正の内容】
【図１】
2018063687.tif 000015
【手続補正４】
【補正対象書類名】図面
【補正対象項目名】図１０
【補正方法】変更
【補正の内容】
【図１０】
2018063687.tif 000016
【手続補正５】
【補正対象書類名】図面
【補正対象項目名】図１１
【補正方法】変更
【補正の内容】
【図１１】
2018063687.tif 000017